(57)【要約】      （修正有）【課題】燃料を使用せずに、被処理物質の燃料を行うことができる処理装置を提供する。【解決手段】空気を吸込・加速・送風するエアー吸込・加速・送風部１と、供給されてきた空気を磁性処理するエアー磁性処理部２と、エアー磁性処理部２から送られてきた空気を空気加熱部へ送る量を調節し又前記エアー磁性処理部２に逆流しないようにするエアーサブタンク部３と、エアーサブタンク部３から送られてきた空気を加熱するヒーター部を有するエアー加熱部４と、エアー加熱部４により加熱された空気を吹出しするエアー吹出部５と、エアー吹出部５から吹出しされた空気にて被処理物質を燃焼させる自然燃焼部６と、被処理物質を載置し燃焼灰を通過させることができる載置部７と、燃焼後に発生する物質を冷却する冷却部８とを備えてなる。【選択図】図１
0003176381.tif 000002
【実用新案登録請求の範囲】
【請求項１】
空気を吸込し、加速し、送風するエア−吸込・加速・送風部と、供給されてきた空気を磁性処理するエア−磁性処理部と当該エア−磁性処理部から送られてきた空気を空気加熱部へ送る量を調節し又前記エア−磁性処理部に逆流しないようにするエア−サブタンク部と当該エア−サブタンク部から送られてきた空気を加熱するヒ−タ−部を有するエア−加熱部と当該エア−加熱部により加熱された空気を吹出しするエア−吹出部と当該エア−吹出部から吹出しされた空気にて被処理物質を燃焼させる自然燃焼部と当該被処理物質を載置し燃焼灰を通過させることができる載置部と燃焼後に発生する物質を冷却する冷却部とを備えてなることを特徴とする被処理物質の処理装置。
【請求項２】
エア−磁性処理部が、Ｎ極及びＳ極からなる永久磁石と磁性部材と非磁性部材とを有してなることを特徴とする、請求項１に記載の被処理物質の処理装置。
【請求項３】
エア−磁性処理部が、Ｎ極の永久磁石とＳ極の永久磁石とをたすき掛けに配設してなることを特徴とする、請求項１又は２に記載の被処理物質の処理装置。
【請求項４】
エア−磁性処理部が、永久磁石と磁性部材との間に磁束の漏れを生じないようにバックヨ−クを形成してなることを特徴とする、請求項１、２又は３いずれか一に記載の被処理物質の処理装置。
【請求項５】
エア−加熱部は、密閉された空間で、当該空間で空気はヒ−タ−部により加熱され、エア−吹出部から自然燃焼部に吹出されて、自然燃焼部で被処理物質を自燃させるようになっていることを特徴とする、請求項１、２、３又は４に記載の被処理物質の処理装置。
【請求項６】
エア−加熱部におけるヒ−タ−部は、相互誘導のイグニッションコイルにより構成されてなることを特徴とする、請求項１、２、３、４又は５に記載の被処理物質の処理装置。
【考案の詳細な説明】
【技術分野】
【０００１】
本考案は、被処理物質の処理装置に関するものである。
【背景技術】
【０００２】
廃棄物などの被処理物質を燃焼させて処理するのに、燃焼炉などの被処理物質の処理装置で、燃料を使用する場合があるが、多量の燃料を消費したり、ＣＯ２の発生などで地球環境上好ましくない等の問題がある。
空気を磁性処理し、磁性を帯びた空気を炉に供給して、被処理物質の燃焼に役ださせることが行われていて、被処理物質の熱分解を助け、燃料の使用を使用しなくても済むようにしたり、排気ガスに含まれるダイオキシンや有害物質の生成を抑制するようなことも行われている。元々は、家屋の居室の空気の消臭効果などの機能を奏する為に行われていたことで、空気をファン等で取入れて、永久磁石を配設した空気磁性（磁界）処理装置で処理して、マイナスイオンを発生させ、それにより空気の消臭効果などの機能を果たさせようとしたものである。
従って、空気を磁性処理し、磁性を帯びた空気を炉に供給して、被処理物質の燃焼に役ださせた処理装置や建物の空気の消臭効果などの機能を奏するようにした処理装置などの特許は数多く提案されている。
しかるに、従来こうした処理装置が数多く提案されていても、充分機能を果たせないものであったりしているのが現状である。
【先行技術文献】
【特許文献】
【０００３】
【特許文献１】特開２０１０−０９８００９号公報、特開２０１０−０１７６６０公報、特開２００８−２７２５５１公報、特開２００８−０２００９３号公報、特開２００４−１２５３６４号公報
【考案の開示】
【考案が解決しようとする課題】
【０００４】
本考案は、上記のような従来技術の欠点を解消し、又、上記の要望に応えることができる技術を提供することを目的としたものである。
本考案の他の目的および新規な特徴は以下の明細書及び図面の記載からも明らかになるであろう。
【課題を解決するための手段】
【０００５】
本考案の実用新案登録請求の範囲は、次の通りである。
（請求項１）  空気を吸込し、加速し、送風するエア−吸込・加速・送風部と、供給されてきた空気を磁性処理するエア−磁性処理部と当該エア−磁性処理部から送られてきた空気を空気加熱部へ送る量を調節し又前記エア−磁性処理部に逆流しないようにするエア−サブタンク部と当該エア−サブタンク部から送られてきた空気を加熱するヒ−タ−部を有するエア−加熱部と当該エア−加熱部により加熱された空気を吹出しするエア−吹出部と当該エア−吹出部から吹出しされた空気にて被処理物質を燃焼させる自然燃焼部と当該被処理物質を載置し燃焼灰を通過させることができる載置部と燃焼後に発生する物質を冷却する冷却部とを備えてなることを特徴とする被処理物質Ｔの処理装置。
（請求項２）    エア−磁性処理部が、Ｎ極及びＳ極からなる永久磁石と磁性部材と非磁性部材とを有してなることを特徴とする、請求項１に記載の被処理物質の処理装置。
（請求項３）    エア−磁性処理部が、Ｎ極の永久磁石とＳ極の永久磁石とをたすき掛けに配設してなることを特徴とする、請求項１又は２に記載の被処理物質Ｔの処理装置。
（請求項４）    エア−磁性処理部が、永久磁石と磁性部材との間に磁束の漏れを生じないようにバックヨ−クを形成してなることを特徴とする、請求項１、２又は３いずれか一に記載の被処理物質の処理装置。
（請求項５）  エア−加熱部４は、密閉された空間で、当該空間で空気はヒ−タ−部により加熱され、エア−吹出部から自然燃焼部に吹出されて、自然燃焼部で被処理物質Ｔを自燃させるようになっていることを特徴とする、請求項１、２、３又は４に記載の被処理物質の処理装置。
（請求項６）  エア−加熱部におけるヒ−タ−部は、相互誘導のイグニッションコイルにより構成されてなることを特徴とする、請求項１、２、３、４又は５に記載の被処理物質Ｔの処理装置。
【考案の効果】
【０００６】
本願において開示される考案のうち代表的なものによって得られる効果を簡単に説明すれば、下記のとおりである。
すなわち、本考案によれば、請求項１に記載のように、その被処理物質の処理装置は、空気を吸込し、加速し、送風するエア−吸込・加速・送風部と、供給されてきた空気を磁性処理するエア−磁性処理部と当該エア−磁性処理部から送られてきた空気を空気加熱部へ送る量を調節し又前記エア−磁性処理部に逆流しないようにするエア−サブタンク部と当該エア−サブタンク部から送られてきた空気を加熱するヒ−タ−部を有するエア−加熱部と当該エア−加熱部により加熱された空気を吹出しするエア−吹出部と当該エア−吹出部から吹出しされた空気にて被処理物質を燃焼させる自然燃焼部と当該被処理物質を載置し燃焼灰を通過させることができる載置部と燃焼後に発生する気体を冷却する冷却部とを備えてなる。
本考案の被処理物質の処理装置によれば、エア−吸込・加速・送風部により処理装置の外部から取入れられた空気は、エア−磁性処理部で磁性処理が施され、磁性を帯びた空気となり、次いで、エア−加熱部では、高温に加熱されて、原子が整列化され、電荷を帯びた荷電粒子を形成し、イオン化した空気となり、当該空気は、自然燃焼部にて、被処理物質と接触すると、被処理物質は、燃料を必要としなくて、それも、自然と燃焼が起こり、還元性雰囲気の下で、分解が起こり、その分解物質は、高温状態の下に乾燥されて処理が行われていく。
従って、本考案の被処理物質の処理装置では、燃料を使用せずに、被処理物質の燃焼を行うことができる。
本考案の被処理物質の処理装置によれば、エア−サブタンク部で、エア−磁性処理部から送られてきた空気を空気加熱部へ送る量を調節したり、又、当該エア−磁性処理部に逆流しないようにして、円滑な処理が行われるようにしている。
本考案の被処理物質の処理装置によれば、請求項２に記載のように、エア−磁性処理部を、Ｎ極及びＳ極からなる永久磁石と磁性部材と非磁性部材とを有してなるように構成すると、エア−磁性処理部での空気の磁性処理がより強く施されるようになる。
本考案の被処理物質の処理装置によれば、請求項３に記載のように、エア−磁性処理部を、Ｎ極の永久磁石とＳ極の永久磁石とをたすき掛けに配設してなるように構成すると、エア−磁性処理部での磁性処理がより一層強く施されるようになる。
本考案の被処理物質の処理装置によれば、請求項４に記載のように、エア−磁性処理部を、永久磁石と磁性部材との間に磁束の漏れを生じないようにバックヨ−クを形成してなるように構成すると、エア−磁性処理部での磁性処理が、そのバックヨ−ク効果により、更に、より一層強く施されるようになる。
本考案の被処理物質の処理装置によれば、請求項５に記載のように、エア−加熱部を密閉された空間に形成し、当該空間で空気を加熱し、エア−吹出部から自然燃焼部に吹出すると、自然燃焼部では、被処理物質を自燃させることができ、燃料を必要としなくて、還元性雰囲気の下で、被処理物質を分解し、分解物の高温状態の下での乾燥処理を行うことができる。
本考案の被処理物質の処理装置によれば、請求項６に記載のように、エア−加熱部におけるヒ−タ−部を、相互誘導のイグニッションコイルにより構成すると、相互誘導により高電圧を生じさせ、ヒ−タ−部をより高温にすることができる。
【０００７】
次に、本考案の実施例を図面を参照しつつ説明する。
【実施例】
【０００８】
図１に示すように、本考案の被処理物質の処理装置Ｓは、空気を吸込し、加速し、送風するエア−吸込・加速・送風部１を備えてなる。
当該エア−吸込・加速・送風部１は、処理装置の外部から空気を吸込し、加速して、処理装置内部に送込（送風）する。
当該エア−吸込・加速・送風部１は、例えば、図２Ａに示すように、ファン部１００と本体部１０１とノズル部１０２とを備えてなる。
ファン、ブロアと称される送風機、圧縮機が使用でき、例えば、羽根の翼揚又は遠心力を利用して気体に速度と圧力とを加えて送風又は圧縮する形態のタ−ボ形やシリンダなどのような一定体積中に吸い込まれた気体の体積をロ−タ又はピストンで漸次あるいは急激に減少させて圧縮する容積形が使用できる。
図２Ａに示すように、ファン部１００と本体部１０１とノズル部１０２とを備えてなるエア−吸込・加速・送風部１は、ファン部１００を回転させて強制的に空気（エア−）を吸引し、本体部１０１とノズル部１０２との径を、本体部１０１からノズル部１０２にかけて減少させ、本体部１０１に吸い込まれた空気の体積を減少させ、その吸い込みを加速して、処理装置Ｓ内部に送込（送風）するようになっている。
吸い込み側の負圧で仕事をさせる例えば真空掃除機の送風機のような形態のものも使用できる。
【０００９】
当該エア−吸込・加速・送風部１から送込された空気は、次いで、図１及び図２Ａに示すように、エア−磁性（磁界）処理部２に送り込まれる。
当該エア−磁性（磁界）処理部２は、例えば、図２Ａに示すように、本体部２００の内部両端部に永久磁石２０１が上下に配設されている。
当該上下の永久磁石２０１は、例えば、図示のように、図右側の上側にＮ極を配したときには、その下部の永久磁石２０１には、Ｎ極に対するＳ極を配し、一方、反対側の図左側の上部には、Ｓ極を、その下部には、Ｎ極を配するようにする。
即ち、当該両端の永久磁石２０１の極性による配設には、右端上部の永久磁石２０１の極性（Ｎ極）と左端下部の永久磁石２０１の極性（Ｎ極）と一致させ、一方、右端下部の永久磁石２０１の極性（Ｓ極）と左端上部の永久磁石２０１の極性（Ｓ極）と一致させる。
即ち、エア−磁性（磁界）処理部２では、たすき掛けで、永久磁石２０１の配設を行う。
前記のようにしてエア−吸込・加速・送風部１から送込された空気は、図２Ａに示すようにエア−磁性（磁界）処理部２に送り込まれ、当該エア−磁性（磁界）処理部２では、本体部２００の中央の貫通孔２０２を通過する。
上記たすき掛けで配設された当該エア−磁性（磁界）処理部２では、強い永久磁石２０１による磁界が形成されていて、当該貫通孔２０２を通過する空気に強い磁性を付与し、空気を強く磁化することができる。
当該エア−磁性（磁界）処理部２では、又、図２Ｂに示すように、当該極性の異なる永久磁石２０１の周囲を磁性体（磁性部材）２０００と非磁性体（非磁性部材）２００１で囲包するようにする。
図２Ｂに示すように、前記貫通孔２０２を境にして上下に極性の異なる永久磁石２０１を配すると共に、本体部２００のケ−シング２００２の内部の当該上下の極性の異なる永久磁石２０１の一方に付着させて磁性体（磁性部材）２０００を配し、又、本体部２００のケ−シング２００２の内部の当該上下の極性の異なる永久磁石２０１の他方にも付着させて磁性体（磁性部材）２０００を配するようにする。当該構成は、当該エア−磁性（磁界）処理部２の図示左側でも同様である。
当該エア−磁性（磁界）処理部２では、当該磁性体（磁性部材）２０００を上記のように配すると共に、図２Ｂに示すように、上下の磁性体（磁性部材）２０００の間に非磁性体（非磁性部材）２００１を配するようにする。図２Ｂに示すように、上側の永久磁石（Ｎ極）２０１はその上部で上側の磁性体（磁性部材）２０００に密着させ、また、その下側の永久磁石（Ｓ極）２０１は、その下部で下側の磁性体（磁性部材）２０００に密着させる。反対側も同様である。
当該磁性体（磁性部材）２０００を介したエア−磁性（磁界）処理部２では、図２Ｃに示すように、一方のＮ極から他方のＳ極にかけて磁力線（磁束）が生じるが、上記のような磁性体（磁性部材）２０００の配設により、当該Ｎ極とＳ極間に、更に磁界が形成されて、エア−磁性（磁界）処理部２の貫通孔２０２を通過する空気に、より一層強い磁性を付与することができる。当該磁束に関するバックヨ−ク効果により、Ｎ極−Ｓ極間の磁束の漏れを防ぎ、永久磁石（マグネット）２０１の磁力を最大限に引き出すことができる。永久磁石（マグネット）２０１の２極の磁力を１極に絞り込み、Ｎ極に発生する磁力をＳ極に合算させることができる。
当該磁性体（磁性部材）２０００には、磁性を帯びることが可能な物質が使用でき、反磁性体・常磁性体・強磁性体の３つに分けられるが、通常は、強磁性体のみを磁性体と呼び、代表的な磁性体には、酸化鉄・酸化クロム・コバルト・フェライトなどが挙げられる。
非磁性体２００１は、磁性体に反するもので、通常、強磁性体でない物質を指し、反磁性体、常磁性体及び反強磁性体の３種がある。 
非磁性体２００１としては、例えば、ステンレス板、磁性を持たない銀等が挙げられる。
図２Ｂに示すように、非磁性体（非磁性部材）２００１は、磁性体（磁性部材）２０００と磁性体（磁性部材）２０００との間に配設され、磁性体（磁性部材）２０００と共に、２つの永久磁石２０１、２０１を囲包する形態にする。
非磁性体２００１は、磁性体（磁性部材）２０００と共に、Ｎ極−Ｓ極間の磁束の漏れを防ぐ。
エア−磁性（磁界）処理部２の本体部２００のケ−シング２００２は、例えば、パイプにより構成され、当該パイプの内部に、上記のような磁性・磁界処理の永久磁石２０１、磁性体２０００及び非磁性体２００１を内包させる。
【００１０】
当該エア−磁性（磁界）処理部２で磁性（磁界）処理された空気は、次いで、図１、図３及び図４に示すように、エア−サブタンク部３に送られる。
当該エア−サブタンク部３は、中空で、その内部に空気を貯留しておくことができる。
空気は、図１、図３及び図４に示すように、当該エア−サブタンク部３から、エア−加熱部４に送られるのであるが、当該エア−加熱部４への上記で磁性を帯びた荷電粒子の空気の供給が急に過ぎると、当該エア−加熱部４の温度を低下させたり、当該エア−加熱部４の処理能力を超えたりすることがある。当該エア−サブタンク部３は、これらの事態の招来を防ぎ、又、エア−吸込・加速・送風部１への空気の逆流を防ぐ等の機能を果たすことができる。
図３に示すように、当該エア−加熱部４と当該エア−サブタンク部３との間、又は、当該エア−サブタンク部３とエア−加熱部４との間等に、調節バルブＢを設けると、より一層当該制御が容易になる。
当該エア−サブタンク部３は、処理装置本体部の外部に設けてもよいが、図１、図３及び図４に示す実施例では、処理装置本体部の内部に設けてある。当該エア−サブタンク部３は、処理装置本体部の内部に設けた方が、外の冷気に当たらずに済み、又、エア−加熱部４との距離が短くなり、処理を迅速化させることができる。
【００１１】
エア−加熱部４には、ヒ−タ部４００を配設する、当該ヒ−タ部４００は、例えば、図５Ａ及び５Ｂに示すように、ケ−シング４０００の内部に、鉄心４００１にコイル４００２を巻回したイグニションコイルＩを設け、当該一方の鉄心４００１に巻回したコイル４００２に電流を流すと、他方の巻回したコイル４００２に誘導電圧が発生し、その相互誘導作用により高電圧を生じさせ、延いては、高温を生じさせることができる。
当該ヒ−タ部４００の端部の蓋部４００３には、十字形の支持体４００４を設け、当該十字形の支持体４００４に、鉄心４００１にコイル４００２を巻回したイグニションコイルＩを支持させる。ケ−シング４０００には、ビス４００５などでイグニションコイルＩをビス止めする。
鉄心４００１の端部から、突出部４００６を突設し、図４に示すように、当該突出部４００６で当該ヒ−タ部４００を処理装置に支持させる。
ヒ−タ部４００の端部では、図示のように、２個の端子４００７からリ−ド線を引出し、当該端子４００７を介して上記のように電流を印加し、誘導作用により高電圧を生じさせ、延いては、高温を生じさせるようにする。例えば、単相１００ｖ，１ＫＷで、５００℃〜６００℃の高温を得ることができる。
ヒ−タ部４００は、エア−加熱部４に配設される。当該ヒ−タ部４００は、図６に示すように、当該エア−加熱部４に、例えば、２個配設する。図６の仮想線でに示すように、当該ヒ−タ部４００は、当該エア−加熱部４に、例えば、４個配設するようにしてもよい。
当該エア−加熱部４は、密閉された空間となっており、エア−サブタンク部３から送られてきた空気は、当該ヒ−タ部４００を有するエア−加熱部４で加熱され、磁性を帯び、高温に加熱された空気は、エア−吹出部５から自然燃焼部６に送り込まれる。
【００１２】
エア−吹出部５は、上下に千鳥状に配設される。千鳥状に配設すると、空気の吹出を効率的に行うことができる。エア−吹出部５は、例えば、４隅に設けられる。
エア−サブタンク部３では、エア−磁性（磁界）処理部２から送られてきた空気を、図３に示すように、２方向に分離して、２方向に配設された２つのエア−加熱部４に送り込む。
【００１３】
自然燃焼部６には、例えば、上方向から被処理物質Ｔが投入される。
処理装置Ｓの上部には、図４に示すように、蓋部Ｆが設けられ、当該蓋部Ｆを上方に持ち上げると開き、その開放部から被処理物質Ｔを投入すればよい。
被処理物質Ｔには、有機物が挙げられるが、無機物を含んでいてもよい。
自然燃焼部６に投入された被処理物質Ｔは、上記のような処理工程を経た空気と接触してその後の処理に付される。エア−吸込・加速・送風部１により、処理装置の外部から強制的に吸込され、ノズル部で加速されて、処理装置内部に送込（送風）された空気は、エア−磁性処理部で磁性処理が施され、磁性を帯び、エア−加熱部４で高温に加熱されてきて、空気は、その中の原子が整列化され、電荷を帯びた荷電粒子を形成し、イオン化して、当該被処理物質Ｔと接触する。
当該被処理物質Ｔと当該空気とが自然燃焼部６内で接触すると、被処理物質Ｔは、自然と燃焼し、密閉された還元性雰囲気の下で、当該自然燃焼部６の下部の分解部６００で、分解が起こり、高温になっているので、上方の乾燥部６０１では、その分解物質は、乾燥されて上昇していく。
本考案の被処理物質の処理装置Ｓでは、エア−吸込・加速・送風部１を作動させていれば、処理装置の外部から空気を強制吸込し、加速して、エア−磁性（磁界）処理部２に送り込んで、エア−磁性（磁界）処理部２では、強い磁界の形成により、空気に強い磁性を付与し、空気を強く磁化し、エア−サブタンク部３では、エア−磁性（磁界）処理部２から送られてきた空気を貯留したりして、エア−吸込・加速・送風部１やエア−加熱部４との間で空気量の調節を行い、エア−加熱部４では、燃料を使用する稼動を必要としないで、且つ、自然燃焼部６では、燃焼の為の燃料の必要が無く、燃焼を行うことができる。
被処理物質Ｔの中の有機物質は、上記のようにして燃焼し、分解し、乾燥されていくが、金属や瀬戸物などの無機物質は、燃焼しないで、そのままの形態で残査となる。
自然燃焼部６では、有機物質は、上記のようにして燃焼し、分解し、乾燥され、乾燥・分解物質（燃焼排ガスを含む。）は、処理装置の上方に上昇して行き、自然燃焼部６には炭化物が残り、灰を生じる。
【００１４】
本考案の被処理物質の処理装置Ｓでは、自然燃焼部６の下部に、投入された被処理物質Ｔを載置することができる載置部７を設ける。当該処理物質載置部７は、燃焼灰を通過させることができるようにもする。
燃焼灰は、当該載置部７を通過して、当該載置部７の下部に落下する。
当該処理物質載置部７は、例えば、図６に示すような格子状の物体が好ましい。当該格子状の物体は、当該機能を果たすと共に、当該処理物質載置部７は、燃焼の際の加熱空気の自然燃焼部６と当該処理物質載置部７の下部との環流にも関係するので、好ましい。
【００１５】
上昇した乾燥・分解物質（燃焼排ガスを含む。）は、冷却部８で、冷却され、燃焼排ガスは、一部は、排煙部９から煙となって排出される。
図１、図７Ａ及び図７Ｂに示すように、上昇した乾燥・分解物質（燃焼排ガス）は、排煙部９を経由して吸引部１０で吸引され、冷却部８で冷却される。
図７Ｂに示すように、冷却部８には、フイルタ−室８００が設けられていて、乾燥・分解物質（燃焼排ガスを含む。）は、当該区画形成された例えば６個のフイルタ−室８００を上下に通過し、冷却され、フイルタリングされる。
吸引部１０には連設してフイルタ−を内蔵したクリ−ンボックス１１が設けられ、冷却され、フイルタリングされた分離は、当該フイルタ−を内蔵したクリ−ンボックス１１で、更にフイルタリングされ、分離液体として回収される。
【００１６】
本考案の被処理物質の処理装置Ｓには、点検口部１２が、図１及図８に示すように、例えば、正面及び背面側の２箇所に設けられている。
当該点検口部１２は、処理装置内部の点検の役割に加えて、炭化物や灰の外部への取り出しに使用される。
【００１７】
本考案の被処理物質の処理装置Ｓには、図１に示すように、制御部１３が設けられている。
当該制御部１３では、エア−磁性（磁界）処理部２からエア−サブタンク部３に送られる空気量やエア−加熱部４の加熱温度等の制御が行われる。
【００１８】
本考案は上記実施例に限定されず、適宜変更が可能である。
【産業上の利用可能性】
【００１９】
本考案は、各種の被処理物質の処理に適用できる。
【図面の簡単な説明】
【００２０】
【図１】本考案の実施例を示す被処理物質の処理装置の正面側から見た構成図である。
【図２】図２Ａは、本考案の実施例を示す被処理物質の処理装置におけるエア−磁性（磁界）処理部の構成図、図２Ｂは、同エア−磁性（磁界）処理部２の断面図、図２Ｃは、同エア−磁性（磁界）処理部の原理図である。
【図３】本考案の実施例を示す被処理物質の処理装置におけるエア−磁性（磁界）処理部とエア−サブタンク部との関係を示す説明図である。
【図４】本考案の実施例を示す被処理物質の処理装置の側面側から見た構成図である。
【図５】図５Ａは、本考案の実施例を示すヒ−タ−部の構成図、図５Ｂは、同断面図である。
【図６】本考案の実施例を示す被処理物質の処理装置の上面側から見た構成図である。
【図７】図７Ａは、本考案の実施例を示す被処理物質の処理装置における冷却部の構成図、図７Ｂは、同冷却部の詳細を示す構成図である。
【図８】本考案の実施例を示す被処理物質の処理装置の背面側から見た構成図である。
【符号の説明】
【００２１】
１…エア−吸込・吹出・送風部
２…エア−磁性（磁界）処理部
３…エア−サブタンク部
４…エア−加熱部
５…エア−吹出部
６…自然燃焼部
７…処理物質載置部
８…冷却部
４００…ヒ−タ−部
【図１】
0003176381.tif 000003
【図２】
0003176381.tif 000004
【図３】
0003176381.tif 000005
【図４】
0003176381.tif 000006
【図５】
0003176381.tif 000007
【図６】
0003176381.tif 000008
【図７】
0003176381.tif 000009
【図８】
0003176381.tif 000010